(57)【要約】      （修正有）【課題】活性成分を皮膚内に送達するように構成されている化粧用器具を提供するためのシステム、デバイス及び方法が開示され、また、そのような化粧用器具を製造するための方法が開示される。【解決手段】化粧用器具１００は、本体１０のヘッド部１２の中又は上に位置し、活性成分に反磁性を誘起する磁場を発生させるように構成されている異方性磁気素子を含む。異方性磁気素子は、ハニカム磁化パターンを有する。【選択図】図１
2018023486.tif 000002
【特許請求の範囲】
【請求項１】
活性成分を皮膚内に送達するための化粧用器具であって、
ハンドル部及び前記ハンドル部から延びるヘッド部を含む本体と、
前記本体の前記ヘッド部の中又は上に位置する異方性磁気素子であって、磁場を発生させ前記活性成分に反磁性を誘起するように構成された異方性磁気素子とを備え、
前記異方性磁気素子がハニカム磁化パターンを有する、化粧用器具。
【請求項２】
前記ハニカム磁化パターンが複数の六角形磁化ゾーンをアレイ状に含み、各六角形磁化ゾーンがＮ極又はＳ極を有する、請求項１に記載の化粧用器具。
【請求項３】
前記異方性磁気素子がネオジムゴム磁石を含む、請求項１又は２に記載の化粧用器具。
【請求項４】
前記異方性磁気素子が、約５０ガウス（Ｇ）から約１５００ガウスの間、好ましくは１００ガウスから３００ガウスの間の磁束密度を有する、請求項１から３のいずれか一項に記載の化粧用器具。
【請求項５】
前記本体の前記ヘッド部が、前記本体の前記ヘッド部内に前記異方性磁気素子をカバーするためのカバーを含む、請求項１から４のいずれか一項に記載の化粧用器具。
【請求項６】
活性成分を皮膚内に送達するための方法であって、
ハニカム磁化パターンを有する異方性磁気素子を介して磁場を発生させるステップと、
前記活性成分に反磁性を誘起するステップとを含む、方法。
【請求項７】
前記ハニカム磁化パターンを有する異方性磁気素子を介して磁場を発生させるステップが、前記ハニカム磁化パターンが複数の六角形磁化ゾーンをアレイ状に含み、各六角形磁化ゾーンがＮ極又はＳ極を有するように、前記異方性磁気素子を磁化させることを含む、請求項６に記載の方法。
【請求項８】
前記複数の六角形磁化ゾーンが、六角形着磁コアのアレイを有する着磁器によって磁化される、請求項７に記載の方法。
【請求項９】
前記ハニカム磁化パターンを有する異方性磁気素子を介して磁場を発生させるステップが、ネオジムゴム磁石から形成された異方性磁気素子を介して前記磁場を発生させることを含む、請求項６から８のいずれか一項に記載の方法。
【請求項１０】
前記ハニカム磁化パターンを有する異方性磁気素子を介して磁場を発生させるステップが、前記異方性磁気素子をカバーするためのカバーを含む異方性磁気素子を介して前記磁場を発生させることを含む、請求項６から９のいずれか一項に記載の方法。
【請求項１１】
活性成分を皮膚内に送達するための化粧用器具を製造するための方法であって、
ハンドル部及び前記ハンドル部から延びるヘッド部を備える本体を提供するステップと、
磁場を発生させ前記活性成分に反磁性を誘起するように構成された異方性磁気素子であって、ハニカム磁化パターンを有する異方性磁気素子を提供するステップと、
前記異方性磁気素子を前記本体の前記ヘッド部に取り付けるステップとを含む方法。
【請求項１２】
前記異方性磁気素子を提供するステップが、前記ハニカム磁化パターンが複数の六角形磁化ゾーンをアレイ状に含み、各六角形磁化ゾーンがＮ極又はＳ極を有するように、前記異方性磁気素子を磁化させることを含む、請求項１１に記載の方法。
【請求項１３】
前記複数の六角形磁化ゾーンが、六角形着磁コアのアレイを有する着磁器によって磁化される、請求項１２に記載の方法。
【請求項１４】
前記異方性磁気素子を提供するステップが、前記異方性磁気素子をネオジムゴム磁石から形成するステップを含む、請求項１１から１３のいずれか一項に記載の方法。
【請求項１５】
前記異方性磁気素子をカバーするためのカバーを提供するするステップを更に含む請求項１１から１４のいずれか一項に記載の方法。
【発明の詳細な説明】
【技術分野】
【０００１】
本開示は、改善された経皮浸透のための化粧用器具及びそのような化粧用器具を製造するための方法に関する。
【背景技術】
【０００２】
スキンケア組成物等のある種の化粧品又は医薬組成物は、手（より正確には指又は掌）によって又は塗布具を使用して皮膚に塗布されることを目的としている。組成物内の極性のある親水性の活性成分は、皮膚内により深く経皮浸透されることを目的としている。
【０００３】
しかしながら、極性のある親水性の活性成分の経皮浸透は、角質層（ＳＣ，ｓｔｒａｔｕｍ  ｃｏｒｎｅｕｍ）のバリア特性によって制限される。いくつかの化学的及び物理的浸透促進技法が、難浸透性分子の経皮送達を改善するために探索されている。
【０００４】
能動的経皮浸透のための候補の一つは、反磁性である。反磁性は一般に、水や大抵の有機小分子等の大抵の物質に現れる。反磁性は、印可される外部磁場と反対の方向に磁場を誘起し、従って印可される外部磁場によって反発されるという、物質の特性である。これは、本質的に反磁性である有機小分子にとって有望な非侵襲的経皮送達である。
【０００５】
反磁性を実施するための一つの方法は、交互の磁気極性を有する異方性磁気アレイを使用することである。基本的には、これは、同じ表面上に周期的磁気パターンを形成するようなＮ（北）極及びＳ（南）極を必要とする。そして、この異方性磁力が、アレイから表面上に非極性配向の磁力を発生させ、それが全体として、能動的送達のための反磁性反発場を形成する。
【０００６】
例えば、特許文献１には、交互の磁気極性を有する棒形状の線形磁性体の対の異方性磁気アレイが開示されている。絶縁体が、磁性体の隣接する対間に配置される。この文献のアレイは、線形磁化パターンをもたらす。
【０００７】
より強い磁力が一般的に標的物質（つまり、活性成分）を用いてより強い反発力を発生させると理解できる。従って、従来の線形磁化パターンと比較して、経皮浸透の改善のためにより強い磁力をもたらすより効果的な異方性磁化パターンを提供する必要性が依然としてある。
【先行技術文献】
【特許文献】
【０００８】
【特許文献１】国際公開第２００９／１３５２４６号
【発明の概要】
【発明が解決しようとする課題】
【０００９】
一態様では、本開示は、限られた領域内に効率的な磁化パターンを提供することによって活性成分の経皮浸透を改善するための化粧用器具についてより強い異方性磁力を実現するための技術及び方法論を課題とする。
【課題を解決するための手段】
【００１０】
その課題は、活性成分を皮膚内に送達するための化粧用器具であって、ハンドル部及びハンドル部から延びるヘッド部を含む本体と、本体のヘッド部の中又は上に位置する異方性磁気素子であって、磁場を発生させ、活性成分に反磁性を誘起するように構成された異方性磁気素子とを備え、異方性磁気素子がハニカム磁化パターンを有する、化粧用器具によって達成される。
【００１１】
一態様では、ハニカム磁化パターンは、複数の六角形磁化ゾーンをアレイ状に含んでもよく、各六角形磁化ゾーンは、Ｎ極又はＳ極を有する。
【００１２】
一態様では、異方性磁気素子は、ネオジムゴム磁石を含んでもよい。
【００１３】
一態様では、異方性磁気素子は、略５０ガウス（Ｇ）から略１５００ガウスの間、好ましくは略１００ガウスから約３００ガウスの間の磁束密度を有してもよい。
【００１４】
一態様では、本体のヘッド部は、本体のヘッド部内の異方性磁気素子をカバーするためのカバーを含んでもよい。
【００１５】
一態様では、本開示はまた、活性成分を皮膚内に送達するための方法であって、ハニカム磁化パターンを有する異方性磁気素子を介して磁場を発生させるステップと、活性成分に反磁性を誘起するステップとを備える方法にも関する。
【００１６】
一態様では、ハニカム磁化パターンを有する異方性磁気素子を介して磁場を発生させるステップは、ハニカム磁化パターンが複数の六角形磁化ゾーンをアレイ状に含み、各六角形磁化ゾーンがＮ極又はＳ極を有するように、異方性磁気素子を磁化させることを含む。
【００１７】
一態様では、複数の六角形磁化ゾーンは、六角形着磁コアのアレイを有する着磁器によって磁化される。
【００１８】
一態様では、ハニカム磁化パターンを有する異方性磁気素子を介して磁場を発生させるステップは、ネオジムゴム磁石から形成された異方性磁気素子を介して磁場を発生させることを含む。
【００１９】
一態様では、ハニカム磁化パターンを有する異方性磁気素子を介して磁場を発生させるステップは、異方性磁気素子をカバーするためのカバーを含む異方性磁気素子を介して磁場を発生させることを含む。
【００２０】
一態様では、本開示は更に、活性成分を皮膚内に送達するための化粧用器具を製造するための方法であって、ハンドル部及びハンドル部から延びるヘッド部を備える本体を提供するステップと、磁場を発生させ、活性成分に反磁性を誘起するように構成された異方性磁気素子であって、ハニカム磁化パターンを有する異方性磁気素子を提供するステップと、異方性磁気素子を本体のヘッド部に取り付けるステップとを備える方法に関する。
【００２１】
一態様では、異方性磁気素子を提供するステップは、ハニカム磁化パターンが複数の六角形磁化ゾーンをアレイ状に含み、各六角形磁化ゾーンがＮ極又はＳ極を有するように、異方性磁気素子を磁化させることを含む。
【００２２】
一態様では、複数の六角形磁化ゾーンは、六角形着磁コアのアレイを有する着磁器によって磁化される。
【００２３】
一態様では、異方性磁気素子を提供するステップは、異方性磁気素子をネオジムゴム磁石から形成することを含む。
【００２４】
一態様では、本方法はさらに、異方性磁気素子をカバーするためのカバーを提供することを含む。
【００２５】
本発明の他の目的、態様、利点、及び特徴は、添付の図面と共に非限定的な実施形態の以下の詳細な説明を読むと明らかになるものである。
【図面の簡単な説明】
【００２６】
【図１】ハニカム磁化パターンと共に一実施形態に係る化粧用器具を示す概略斜視図である。
【図２】特徴的寸法と共に図１の化粧用器具の概略上面図及び側面図を示す図である。
【図３】一実施形態に係る異方性磁気素子が有するハニカム磁化パターンの概略図である。
【図４】着磁コアのアレイを有する着磁器の概略側面図である。
【発明を実施するための形態】
【００２７】
図１は、一実施形態に係る化粧用器具１００を示す概略斜視図である。図２は、化粧用器具１００の概略上面図及び概略側面図を示す。化粧用器具１００は、細長の本体１０及び異方性磁気素子２０を含む。
【００２８】
本体１０は、ハンドル部１１及びハンドル部１１から延びるヘッド部１２を備える。
【００２９】
ハンドル部１１は、指及び／又は掌で化粧用器具１００を保持するための任意の適切な形状を有する。例えば、図１及び図２に示されるように、ハンドル部１１は、丸みを帯びた棒形状を有してもよい。
【００３０】
ヘッド部１２は、ハンドル部１１から延び、実質的に平坦な表面を有する。図１及び図２に示されるような一実施形態では、ヘッド部１２は、実質的に平坦な表面を形成するようにハンドル部１１からねじれて延びてもよい。ヘッド部１２の実質的に平坦な表面は、全体的に卵形の又は楕円形の形状を有してもよい。ヘッド部１２のエッジは、丸みを帯びてもよい。
【００３１】
一実施形態では、ヘッド部１２は、ヘッド部１２内の異方性磁気素子２０をカバーし、取り囲むためのカバーを含んでもよい。この実施形態では、カバーは、ヘッド部１２の実質的に平坦な表面を形成するようにヘッド部１２の一部を形成する。言い換えれば、異方性磁気素子２０は、ヘッド部１２内に位置する。しかしながら、以下で更に説明するように、カバーを省略してもよい。
【００３２】
ヘッド部１２は、その実質的に平坦な表面と皮膚を接触させることを目的としている。更に、ヘッド部１２は、組成物容器から組成物をすくい、それを皮膚に塗布し、反磁性効果に起因して組成物内の活性成分を皮膚内に浸透させるために皮膚をマッサージするように構成されてもよい。言い換えれば、そのようなヘッド部１２を含む化粧用器具１００は、へら、塗布具、及びマッサージ器としての役割を果たしてもよい。
【００３３】
特徴的寸法と共に化粧用器具１００の概略上面図及び側面図を示す図２を参照すると、本体１０は長さＬを有する。本体１０の長さＬは、塗布（顔面への塗布、又は身体への塗布等）に応じて、略５０ｍｍから略１００ｍｍの間（例えば８０ｍｍ）であってもよい。それに応じて、ハンドル部１１は、主幅Ｗ１（つまり、ハンドル部１１の最大幅）及び主厚さＴ１（つまり、ハンドル部１１の最大厚さ）を有する。ヘッド部１２は、主幅Ｗ２（つまり、ヘッド部１２の最大幅）及び主厚さＴ２（つまり、ヘッド部１２の最大厚さ）を有する。ヘッド部１２が楕円形の平坦な表面を有する場合、ヘッド部１２の主幅Ｗ２は、楕円の短軸に対応し得る。ハンドル部１１に関して、主幅Ｗ１は略３ｍｍから略６ｍｍの間（例えば４．８ｍｍ）であってもよく、主厚さＴ１は略６ｍｍから略１２ｍｍの間（例えば９．２ｍｍ）であってもよい。ヘッド部１２に関して、主幅Ｗ２は略８ｍｍから略１６ｍｍの間（例えば１３ｍｍ）であってもよく、主厚さＴ２は、略３ｍｍから略８ｍｍの間（例えば５．３ｍｍ）であってもよい。しかしながら、ハンドル部１１及びヘッド部１２を含む本体１０は、任意の適切な寸法を制限なく有してもよい。
【００３４】
一実施形態では、ハンドル部１１及びヘッド部１２は、射出成形などの成形によって一体的に形成されてもよい。別の実施形態では、ハンドル部１１及びヘッド部１２は、成形によって別々に形成され、次いで例えば接着剤によって一緒に連結されてもよい。
【００３５】
本体１０（つまり、ハンドル部１１、ヘッド部１２、及びカバー）は、樹脂等の任意の適切な非磁性材料から形成されてもよい。樹脂の非限定的な例として、スチレン‐アクリロニトリル（ＳＡＮ）樹脂、アクリロニトリル‐ブタジエン‐スチレン（ＡＢＳ）樹脂、ポリプロピレン（ＰＰ）樹脂、ポリエステル樹脂、エラストマー樹脂、ポリ塩化ビニルが挙げられる。また、アルミニウムや非磁性ステンレス鋼等の非磁性金属材料を、本体１０の材料に使用してもよい。
【００３６】
本体１０はさらに、表面仕上げが異方性磁気素子２０からの磁力に影響を及ぼさないのであれば、非磁性材料の被覆又はメッキ（無電解メッキなど）を用いて審美的及び／又は保護の目的のためにそのような表面仕上げを施されてもよい。
【００３７】
一実施形態では、異方性磁気素子２０を、ヘッド部１２内に配置する。このため、上述のように、ヘッド部１２の一部としてのカバーが、ヘッド部１２内に異方性磁気素子２０をカバーし、取り囲んでもよい。代わりに、異方性磁気素子２０は、カバー無しでヘッド部１２上に位置してもよい。この代替案では、異方性磁気素子２０は、皮膚に直接接触することを目的として対応する実質的に平坦な表面を有してもよい。
【００３８】
異方性磁気素子２０は、０．１ｍｍから２ｍｍの間（例えば０．５ｍｍ）の厚さを有してもよい。
【００３９】
一実施形態では、異方性磁気素子２０は、フェライトゴム磁石、希土類ゴム磁石等の、当該技術分野で知られているゴム磁石（ボンド磁石としても知られている）を含んでもよい。希土類ゴム磁石として、ネオジム（ＮｄＦｅＢ）ゴム磁石、サマリウム‐コバルト（ＳｍＣｏ）ゴム磁石が挙げられるが、これらに限定されるものではない。好ましくは、ゴム磁石は、そのより強い磁力のためにネオジムゴム磁石であってもよい。ゴム磁石は一般に、磁石微粒子（フェライト又はネオジム磁石微粒子等）と、ゴム材料（又は樹脂材料）（ニトリルゴム、シリコーンゴム等）と、適切な添加物（可塑剤、潤滑剤、架橋剤、老化防止剤等）とを含む。磁石微粒子は、ゴム材料内に均一に分散される。ゴム材料内の磁石微粒子の体積百分率は、全混合物に対して約１０体積％から約８０体積％の間、好ましくは約６０体積％から約８０体積％の間等の任意の適切な範囲内である。磁石微粒子のサイズ（つまり、粒径）は、当該技術分野で知られているように、約０．５μｍから約３．０μｍの間であってもよい。
【００４０】
ゴム磁石は、当技術分野で知られている任意の方法によって形成され得る。例えば、ゴム磁石は以下のように形成され得る。磁石微粒子をゴム材料及び添加物と均一に混合して、結果物の混合物を得て、その混合物を圧延してゴム磁石シートを形成する。外部磁場が圧延プロセス中に印可される場合、磁石微粒子は、結果物のゴム磁石シートがシートの厚さ方向に沿った（つまり、シートの主表面に垂直な方向に沿った）磁気異方性等の磁気異方性を有するように、整列され得る。次いで、ゴム磁石シートは、異方性磁気素子２０を形成するように、所望の形状に切断され得る。
【００４１】
図１及び図３を参照すると、異方性磁気素子２０は、ハニカム異方性磁化パターンを示す。ハニカム異方性磁化パターンは、複数の正六角形磁化ゾーンをアレイ状に含む。各六角形磁化ゾーンのサイズ（典型的には、正六角形の一辺の長さ）は、略１ｍｍから略１０ｍｍの間（例えば３ｍｍ）であってもよい。正六角形の一辺の長さが約３ｍｍである場合、正六角形の表面積は、略２３．４ｍｍ２に等しくなる。各六角形磁化ゾーンは、磁気素子２０の主表面に垂直な方向にＮ（北）極又はＳ（南）極を有する。
【００４２】
一実施形態では、Ｎ極及びＳ極は、六角形磁化ゾーンの各列内で交互になる。この文脈において、「列」との用語は、その辺が互いに隣接している複数の六角形磁化ゾーンを意味する。この実施形態では、各列内の２つの隣接する六角形磁化ゾーンは、双極子対を形成する。
【００４３】
別の実施形態では、六角形ゾーンの１つの列内のすべての六角形ゾーンは、同じ極性を有し、一方２つの隣接する列内の六角形ゾーンは、反対の極性を有する。
【００４４】
しかしながら、各六角形ゾーンは、異方性磁力を高めるために、Ｎ極又はＳ極を独立して有することができる。当然、磁力は、中央に円形半径（ｃｉｒｃｕｌａｒ  ｒａｄｉｕｓ）を作るが、この丸型パターンは、ゾーン間に多くの空きスペースを作る。反対に、ハニカムパターンは、さらにより強い異方性磁力を発生させるように、ゾーン間により小さいギャップを作る。
【００４５】
異方性磁気素子２０の上記の構成に起因して、異方性磁気素子２０は、略５０ガウス（Ｇ）から略１５００ガウスの間、好ましくは略１００から略３００ガウス（Ｇ）の間、又はそれ以上（略５００Ｇ以上等）のより高い磁束密度を有し得る。
【００４６】
異方性磁気素子２０は、着磁器によって磁化（着磁）される。ハニカム磁化パターンを形成するために、着磁器は、六角形着磁コアを有する。着磁器を用いて、スタンプを押すようにして、六角形ゾーンを１つずつ磁化させることができる。
【００４７】
代わりに、すべての六角形磁化ゾーンを、図４に示される特別製の着磁器によって同時に磁化させることができる。図４の着磁器は、独立に制御することができる六角形着磁コアのアレイを有する。この着磁器を使用すると、各六角形磁化ゾーンを、所望の極性を有するように磁化させることができる。
【００４８】
使用時には、ユーザは、上述のように、化粧品容器から化粧品組成物をすくい、その組成物を皮膚に塗布し、皮膚をマッサージするように、化粧用器具１００を使用することができる。化粧用器具１００を用いてマッサージする間に、異方性磁気素子２０からの磁力は、組成物の活性成分に反磁性を誘起し、それが活性成分の経皮浸透を促進する。
【００４９】
化粧用器具１００を、以下のように製造することができる。
【００５０】
第一ステップにおいて、ハンドル部１１及びヘッド部１２を含む本体１０を提供する。ヘッド部１２は、実質的に平坦な表面を有するように形成される。本体１０は、樹脂材料の射出成形によって形成されてもよい。ハンドル部１１及びヘッド部１２は、一体的又は別々に形成されてもよい。後者の場合には、ハンドル部１１及びヘッド部１２は、例えば接着剤を用いて一緒に連結される。
【００５１】
第二ステップにおいて、異方性磁気素子２０を提供する。異方性磁気素子２０は、フェライトゴム磁石やネオジムゴム磁石等のゴム磁石から形成されてもよい。異方性磁気素子２０は、複数の正六角形磁化ゾーンを含むハニカム磁化パターンを有するように着磁器によって磁化される。異方性磁気素子２０は、１つの六角形着磁コアを有する着磁器を用いて、又は六角形着磁コアのアレイを有する特別製の着磁器を用いて磁化され得る。
【００５２】
第三ステップにおいて、異方性磁気素子２０を本体１０のヘッド部１２に取り付ける。任意の適切な接着剤や両面接着テープを、取り付けのために使用してもよい。
【００５３】
任意で、カバーがさらに、本体１０のヘッド部１２内に異方性磁気素子２０をカバーし、取り囲むために提供されてもよい。カバーの材料は、本体の材料と同一であっても異なってもよく、それは、異方性磁気素子２０からの磁力に影響を及ぼさないものとされる。
【００５４】
（実施例）
非限定的な例によって、本発明を更に詳細に説明する。
【００５５】
（実施例１）
実施例１に係る異方性磁気素子をネオジムゴム磁石から作製した。異方性磁気素子は、０．５ｍｍの厚さを有していた。異方性磁気素子は、複数の正六角形磁化ゾーンをアレイ状に含むハニカム磁化パターンを示すように磁化された。
【００５６】
（比較例１）
比較例１に係る異方性磁気素子は、異方性磁気素子が、素子の縦方向に沿って複数の線形磁化ゾーンを含む線形磁化パターンを示すように磁化されたことを除いて、実施例１と同じ方法で作製された。
【００５７】
以下の表１は、実施例１（ハニカム磁化パターン）及び比較例１（線形磁化パターン）の詳細なパラメータを示す。
【００５８】
【表１】
2018023486.tif 000003
【００５９】
表１に示されるように、実施例１の磁化された実面積は、比較例１のものよりも３．７５倍大きかった。反磁性反発力は、基本的に磁場の強度に比例するので、実施例１は、経皮浸透を改善しているものと考えられる。
【００６０】
比較例１と比較して実施例１による経皮浸透の改善を実証するために、フランツセル（静的拡散セル）試験を行って、生体外の豚の皮膚上のＥＲ２９４７（ロレアル社製のジペプチド）の残留量を評価した。フランツセルは、１．７ｃｍ２の塗布面積及び４ｍＬのセルレセプター容積を有していた。レセプター液は、ｐＨ７．４を有するリン酸緩衝生理食塩水（ＰＢＳ）であった。レセプター液は、試験中攪拌された。豚の皮膚は、ドナー区画と１．７ｃｍ２の前述の塗布面積を有するレセプター区画との間に配置された。豚の皮膚の温度は、３２±１セルシウス度（℃）に維持された。１％のＥＲ２９４７（ドナー化合物として）を含む組成物が、５ｍｇ／ｃｍ２だけ豚の皮膚に局所的に塗布された。実施例１及び比較例１の異方性磁気素子は、それぞれ豚の皮膚の上方に懸架された。化合物塗布の１６時間後、豚の皮膚を取り出して、次いで角質層（ＳＣ）を剥ぎ取った。次いで、豚の皮膚の角質層（ＳＣ）内のＥＲ２９４７の残留量が、ＬＣ／ＭＳ／ＭＳ（液体クロマトグラフィ／質量分光分析／質量分光分析）を用いて分析された。比較のために、磁気素子を有さないフランツセル試験も、同じ条件で行った。
【００６１】
以下の表２は、豚の皮膚の角質層（ＳＣ）内のＥＲ２９４７の残留量を示す。
【００６２】
【表２】
2018023486.tif 000004
【００６３】
表２に示されるように、実施例１は、磁石無しの結果と比較して２１９％増加した浸透有効性を示している。また、表２は、六角形磁化パターンが、線形磁化パターンと比較して、より効率的な経皮浸透をもたらすことも示している。
【００６４】
上記実施形態は本発明を限定するのではなく、むしろ本発明の技術的解決策を単に述べることを目的としているものであることは留意されたい。本発明は、上記実施形態を参照して詳細に述べられているが、当業者は、なお前述の実施形態に記載されている技術的解決策への変更を行い、又はその技術的特徴の一部又は全部に対して等価な置換を行ってもよいことを理解されたい。
【符号の説明】
【００６５】
１０  本体
１１  ハンドル部
１２  ヘッド部
２０  異方性磁気素子
１００  化粧用器具
【図１】
2018023486.tif 000005
【図２】
2018023486.tif 000006
【図３】
2018023486.tif 000007
【図４】
2018023486.tif 000008
【外国語明細書】
2018023486000001.pdf